(57)【要約】  本発明は、生産ラインの進行方向に沿った少なくとも１つのコンベヤ軌道（２）と、生産ライン上で、部品または部品アセンブリ、具体的には車両ボディを移送するための少なくとも１つの部品搬送台車（３）と、を備え、生産ラインは、移動部およびワークステーション（４）を含み、それらは生産ラインの進行方向に沿って、コンベヤ軌道（２）により通過する自動化生産ラインのためのコンベヤ装置（１）に関する。これに関して、コンベヤ軌道（２）は、モノレール（７）として、好ましくは、部品搬送台車（３）の中心長手軸（Ｌ３）に沿って延びるモノレール（７）として構成され、これに関して、コンベヤ軌道（２）は、少なくとも一部において、駆動部（１３）を用いて駆動される複数のローラ（１１）を備え、これに関して、部品搬送台車（３）は、少なくとも１つの摩擦面（２２）を備え、該摩擦面により部品搬送台車（３）がコンベヤ軌道（２）のローラ（１１）によって駆動可能である、具体的には、コンベヤ軌道（２）に沿って動的に移動可能である。（図１）
2020516478.tif 000002
【特許請求の範囲】
【請求項１】
自動化生産ラインのためのコンベヤ装置（１；２０１；３０１）であって、
前記生産ラインの進行方向に沿った少なくとも１つのコンベヤ軌道（２；１０２；２０２；３０２）と、
前記生産ライン上で、部品または部品アセンブリ、具体的には車両ボディを移送するための少なくとも１つの部品搬送台車（３；１０３；２０３；３０３）と、を備え、
前記生産ラインは、移動部（２１５）およびワークステーション（４；３０４）を含み、
それらは前記生産ラインの前記進行方向に沿って、前記コンベヤ軌道（２；１０２；２０２；３０２）により通過する自動化生産ラインのためのコンベヤ装置（１；２０１；３０１）であって、
前記コンベヤ軌道（２；１０２；２０２；３０２）は、モノレール（７）として、好ましくは、前記部品搬送台車（３；１０３；２０３；３０３）の中心長手軸（Ｌ３）に沿って延びるモノレール（７；２０７；３０７）として構成され、
前記コンベヤ軌道（２；１０２；２０２；３０２）は、少なくとも一部において、駆動部（１３；２１３）を用いて駆動される複数のローラ（１１；１１１；２１１）を備え、
前記部品搬送台車（３；１０３；２０３；３０３）は、少なくとも１つの摩擦面（２２；１２２）を備え、該摩擦面により前記部品搬送台車（３；１０３；２０３；３０３）が前記コンベヤ軌道（２；１０２；２０２；３０２）の前記ローラ（１１；１１１；２１１）によって駆動可能である、具体的には、前記コンベヤ軌道（２；１０２；２０２；３０２）に沿って動的に移動可能であることを特徴とする、自動化生産ラインのためのコンベヤ装置。
【請求項２】
コンベヤ装置であって、
位置決め手段（３０；５０；１５１、１５２）は、前記部品搬送台車（３；１０３；２０３；３０３）に設けられ、
基準手段（４２、４３；６０；１５５、１５６；２４２、２４３、２４４）は、少なくともワークステーション（４；３０４）の前記領域の前記コンベヤ軌道（２；１０２；２０２；３０２）に設けられ、
前記部品搬送台車（３；１０３；２０３；３０３）の前記位置決め手段（３０；５０；１５１、１５２）と、前記コンベヤ軌道（２；１０２；２０２；３０２）の前記基準手段（４２、４３；６０；１５５、１５６；２４２、２４３、２４４）とは、前記部品搬送台車（３；１０３；２０３；３０３）が作業位置（１９０）に明瞭に配置されるように相互作用し、該作業位置にて、前記部品または部品アセンブリ（１９１）の加工が１つの、好ましくは２つの、具体的には３つの空間方向（Ｘ；Ｙ；Ｚ）における前記ワークステーション（４；３０４）に関連した、少なくとも１つの操作装置により行われることを特徴とする、請求項１に記載のコンベヤ装置。
【請求項３】
ガイドユニット（１２；２１２）が設けられ、前記コンベヤ装置（１；２０１；３０１）の前記ローラ（１１；１１１；２１１）は、少なくとも一部では個々のガイドユニット（１２；２１２）の部品パーツであり、ガイドユニット（１２）の前記ローラ又は複数のローラ（１１；１１１）がばね式又は加圧型サスペンションを含む、若しくは、ガイドユニット（２１２）の前記ローラ又は複数のローラ（２１１）が、非ばね式又はリジッドサスペンションを含み、前記ガイドユニット（１２）は、好ましくは、ワークステーション（４；３０４）の前記領域に配置されることが提供されることを特徴とする、請求項２に記載のコンベヤ装置。
【請求項４】
前記コンベヤ軌道（２；１０２；２０２；３０２）の前記進行方向（Ｘ方向）に沿った位置決めが、少なくとも１つのロックピン（８０；４０３）により行われ、前記ロックピン（８０；４０３）は、好ましくは、前記コンベヤ軌道（２；１０２；２０２；３０２）の外へ突出し、前記部品搬送台車（３；１０３；２０３；３０３）上の受取手段にポジティブロック方式にて係止する
および／または
前記コンベヤ軌道（２；１０２；２０２；３０２）の前記進行方向（Ｚ方向）の垂直方向の位置決めが、少なくとも２つの位置決め手段（５０）により、具体的には少なくとも２つの基準手段（６０）と相互作用する前記部品搬送台車（３；１０３；２０３；３０３）のＺパック（５１〜５４；１５１、１５２）により、具体的には２つのＺ停止部又はＺローラ（５５〜５８、６０；１５５、１５６）により行われ、
具体的には、前記位置決め手段（５０、５１〜５４）が上方向き面を用いて、下方向き面、又は前記基準手段（６０）のローラ（５５〜５８；１５５、１５６）と相互作用する
および／または
位置決めが、少なくとも２つのロックピンによって、前記コンベヤ軌道（２；１０２；２０２；３０２）の前記進行方向の横断方向（Ｙ方向）に行われ、前記ロックピンは、互いに離れており、好ましくは、前記コンベヤ軌道（２；１０２；２０２；３０２）から突出し、前記部品搬送台車（３；１０３；２０３；３０３）上の受取手段にポジティブロック方式にて係止する、
および／または
位置決めが、前記コンベヤ軌道（２；１０２）の横断方向（Ｙ方向）に、少なくとも２つの位置決め手段（３０）により、具体的には少なくとも２つの基準手段と相互作用する前記部品搬送台車（３；１０３）のＹパック（４０、４１）により、具体的には２つのＹ停止部又はＹローラ（４２、４３）により行われることを特徴とする、請求項２または３のいずれかに記載のコンベヤ装置。
【請求項５】
前記ワークステーション（４；３０４）に関連する前記部品搬送台車（３；１０３；２０３；３０３）の前記位置決めは、１つの、好ましくは２つの、具体的には、３つの空間方向（Ｘ；Ｙ；Ｚ）においてポジティブロック方式にて実現され、具体的には、前記部品搬送台車（３；１０３；２０３；３０３）がコンベヤ軌道（２；１０２；２０２；３０２）から浮き上がることを防ぐことを特徴とする、請求項２から４のいずれか１項に記載のコンベヤ装置。
【請求項６】
少なくとも１つのプロファイル（７３）、好ましくは２つの又は複数のプロファイル（７３）は、前記長手方向（５、６）に延びる前記コンベヤ軌道（２；１０２；２０２；３０２）で実現され、
少なくとも１つのローラ（７２）は、好ましくは、前記部品搬送台車（３；１０３；２０３；３０３）のローラ配置方法にて、前記プロファイル（７３）にポジティブロック方式にて係止して、前記コンベヤ軌道（２；１０２；２０２；３０２）からの前記部品搬送台車（３；１０３；２０３；３０３）の浮き上がり、および／または、前記コンベヤ軌道（２；１０２；２０２；３０２）に対して前記部品搬送台車（３；１０３；２０３；３０３）が横方向にずれることを防止することを特徴とする、前述の請求項のいずれか１項に記載のコンベヤ装置。
【請求項７】
前記コンベヤ軌道（２０２）の前記移動部（２１５）および／または前記ワークステーション（３０４）は、複数の押さえ装置（２９０、２９１）を含み、各押さえ装置（２９０、２９１）は、押さえローラ（２９０ａ、２９１ａ）およびローラキャリア（２９０ｂ、２９１ｂ）を備え、前記押さえローラ（２９０ａ、２９１ａ）は、前記ローラキャリア（２９０ｂ、２９１ｂ）を用いて前記コンベヤ軌道（２０２）のプロファイル（２１０）に配置され、前記押さえローラ（２９０ａ、２９１ａ）は、前記コンベヤ軌道（２０２）の前記ローラ（２１１）に対して整列され、前記コンベヤ軌道（２０２）に沿って移動する部品搬送台車（２０３）が複数押さえローラ（２９０ａ、２９１ａ）および複数ローラ（２１１）の間で常に案内可能であり、具体的には、各々の場合において、２つの押さえ装置（２９０、２９１）が前記コンベヤ軌道（２０２）の前記プロファイル（２１０）上で互いに対向して配置されることが提供されることを特徴とする、請求項１から５のいずれか１項に記載のコンベヤ装置。
【請求項８】
前記押さえ装置（２９０、２９１）はバネ（２９０ｃ、２９１ｃ）を備え、前記押さえローラ（２９０ａ、２９１ａ）は、前記バネ（２９０ｃ、２９１ｃ）を用いてコンベヤ軌道（２０２）に沿って移動する部品搬送台車（２０３）の面（２０３ａ）を押圧可能であり、前記部品搬送台車（２０３）は、前記部品搬送台車（２０３）が載る前記ローラ（２１１）に押し付けられ、
具体的には、前記押さえ装置（２９０、２９１）がレバー（２９０ｄ、２９１ｄ）を備え、前記押さえローラ（２９０ａ、２９１ａ）が、前記コンベヤ軌道（２０２）の前記プロファイル（２１０）上の前記レバー（２９０ｄ、２９１ｄ）により、旋回可能に取り付けられ、前記Ｙ方向（Ｙ）に水平方向に延びる旋回軸（２９０ｅ、２９１ｅ）回りに旋回可能であり、前記バネ（２９０ｃ、２９１ｃ）が前記レバー（２９０ｄ、２９１ｄ）を前記プロファイル（２１０）に前記旋回軸（２９０ｅ、２９１ｅ）回りにトルクを発生するように接合されることが提供され、
具体的には、互いに対向して配置される２つの押さえ装置（２９０、２９１）が接合手段（２９３）によって前記旋回軸（２９０ｅ、２９１ｅ）の前記領域で接合され、具体的には、前記２つのレバー（２９０ｄ、２９１ｄ）が、前記旋回軸（２９０ｅ、２９１ｅ）回りに互いに独立して旋回するように前記接合手段（２９３）に接合されることも提供されることを特徴とする、請求項７に記載のコンベヤ装置。
【請求項９】
前記コンベヤ装置（２０１；３０１）はロックピン装置（４０１）を備え、前記ロックピン装置（４０１）は、具体的にはソード（４０２）として実現されるロックピン（４０３）と、前記ロックピン（４０３）を受取るためのシース（４０４）とを含むことが提供され、前記シース（４０４）が、係止方向（Ｘ方向）の横断方向、具体的にはＺ方向（Ｚ）の解放位置から前記ロックピン（４０３）が前記シース（４０４）によって受取られる係止位置（Ｓ４０４）へ移動可能であり、
具体的には、前記シース（４０４）が２つの対向して配置された回転体（４０５、４０６）を含み、具体的には、前記回転体（４０５、４０６）の回転軸（Ｄ４０５、Ｄ４０６）が前記移動方向（Ｘ）に横断するように配置されることが提供され、前記係止位置（Ｓ４０４）に移動する場合、前記ロックピン（４０３）が前記シース（４０４）により低摩擦で受取られ、具体的には、前記ロックピン（４０３）が前記コンベヤ軌道（２０２；３０２）に沿って移動可能である部品搬送台車（２０３；３０３）に取り付け可能であることが提供されることを特徴とする、前述の請求項の少なくともいずれか１項に記載のコンベヤ装置。
【請求項１０】
前記コンベヤ装置（２０１；３０１）は、少なくとも１つの連結装置（４５１）を含み、
前記連結装置（４５１）は、前記コンベヤ装置（２０１；３０１）の前記ワークステーションの１つに配置される少なくとも１つの連結片（４５２）と、部品搬送台車（２０３；３０３）に取り付け可能な１つの反対の連結片（４５３）とを備え、前記ワークステーション（３０４）の作業位置にある前記部品搬送台車（２０３；３０３）の前記反対の連結片（４５３）と前記連結片（４５２）が連結可能であるように、前記連結片（４５２）は、具体的には、ロックピン装置（４０４）のシース（４０４）と共に移動可能であり、記連結装置（４５１）は、具体的には、前記部品搬送台車（２０３；３０３）に圧縮空気および／または電気を好ましく供給可能である中間連結装置（４５４）を備えることを特徴とする、前述の請求項の少なくともいずれか１項に記載のコンベヤ装置。
【請求項１１】
請求項１から１０のいずれか１項に記載のコンベヤ装置（１；２０１；３０１）用部品搬送台車（３；１０３；２０３；３０３）であって、前記部品搬送台車は、
部品または部品アセンブリ（１９１）のための搬送構造および受取手段（２４）を備え、
前記搬送構造が少なくとも１つの長手方向搬送部と、前記長手方向搬送部（２３、２５）よりも横方向に突出する、好ましくはロレーヌ十字の形状で対称である少なくとも２つの横材とを含み、
前記受取手段（２４）は、前記部品または部品アセンブリ（１９１）、具体的には、前記搬送構造に対して明瞭に配置された車両ボディを受取り、
前記搬送構造は、前記横材（２３、２５）を、選択位置（好ましくは、前記Ｘ方向）に配置されて締結された固定格子（２６；２８）を含む、
および／または
前記横材（２３、２５）は、前記受取手段が少なくとも１つの空間方向（好ましくは、前記Ｙ方向）、具体的には、２つの空間方向（ＹおよびＺ方向）の選択位置に配置および締結する固定格子（２９）を含むことを特徴とする、コンベヤ装置用部品搬送台車。
【請求項１２】
前記固定格子（２６；２８）は、少なくとも６０％を超えて、好ましくは、前記搬送構造の前記長さの８０％を超える前記搬送構造で実現されることを特徴とする、請求項１１に記載の部品搬送台車。
【請求項１３】
前記部品または部品アセンブリ（１９１）のための少なくとも１つの受取手段（２４）と、前記ワークステーション（４；３０４）に対して前記部品搬送台車（３；１０３）を整列するための少なくとも１つの位置決め手段（３０；５０）との両方が、少なくとも１つの横材（２３、２５）に配置されることを特徴とする、請求項１１および１２のいずれかに記載の部品搬送台車。
【請求項１４】
部品搬送台車であって、
前記長手方向搬送部は、具体的には、中空プロファイル（２０）と、好ましくは、その下に配置される平坦プロファイル（２１）とから形成される上下逆さまＴのような断面で実現され、
前記平坦プロファイル（２１）は、前記中空プロファイル（２０）よりも、好ましくは、両側に突出し、具体的には、対称に突出し、
前記中空プロファイル（２０）に対向して位置する前記平坦プロファイル（２１）の前記側面は、摩擦面（２２）、またはコンベヤ装置（１）の複数のローラ（１１）によって駆動可能な駆動面を形成することを特徴とする、請求項１１から１３のいずれか１項に記載の部品搬送台車。
【請求項１５】
請求項１から１０のいずれか１項に記載のコンベヤ装置（１；２０１；３０１）の操作方法であって、
コンベヤ軌道（２；１０２；２０２；３０２）上の部品搬送台車（３；１０３；２０３；３０３）は、到達すべき作業位置までワークステーション（４；３０４）に移動し、この場合、
少なくとも２つのワークステーション（４；３０４）間の前記移動が行われる水平移送面（１９２）から、前記部品または部品アセンブリ（１９１）、具体的には車ボディの加工が、前記部品搬送台車（３；１０３）で行われる前記移送面（１９２）より下に位置する位置決め面（１９０）に、押し込みが行われることを特徴とする、コンベヤ装置の操作方法。
【請求項１６】
動的移動が、１２秒未満、好ましくは５秒から１０秒の間、具体的には６秒以内で前記ワークステーション（４；３０４）の２つの位置決め状態の間で変更を実行することを特徴とする、請求項１５に記載の操作方法。
【発明の詳細な説明】
【発明の詳細な説明】
【０００１】
本発明は、独立クレーム１、又は１１、又は１５に記載した、自動化生産ラインのためのコンベヤ装置と、コンベヤ装置用部品搬送台車と、コンベヤ装置の操作方法とに関する。
【０００２】
コンベヤ装置および部品搬送台車は、先行技術、例えば、国際公開番号ＷＯ１６／１５０５４３Ａ１又は欧州特許第２５６０８６１Ｂ１号に開示されている。
具体的には、いわゆる車両ボディの骨組み構造体では、複数のワークステーションにて、ロボットを用いて、ほとんど場合はスポット溶接または他の結合方法により、様々なボディパーツが一体接合される。この場合、ロボットは、それらの接合を正確に規定された空間座標で行うようにプログラムされている。コンベヤ装置の作業は、ワークステーションにて個々の部品または部品アセンブリを提供し、ロボット用に予め規定された座標と、部品又は部品アセンブリから製造されたワークの位置とが、可能なかぎり正確に一致するように、部品または部品アセンブリを、多くの場合において、数分の１ミリメートルの正確さで、高精度な方法で正確な位置に案内することである。この場合、ワークの位置決めは、Ｘ，Ｙ，Ｚ空間の３方向に沿って、コンベヤ装置の部品部材として整列された部品搬送台車により行われる。これに関して、部品搬送台車は、ワークステーションに移動してから、移動方向（Ｘ）と、Ｘ方向を横断する移動方向（Ｙ）と、垂直方向（Ｚ）とに沿って整列されなければならない。
【０００３】
一般的に、プロセス・オートメーション、具体的には産業用ロボットのためにできるだけ広い空間を提供するためにコンパクト化する設計という結果の一方、他方では、個々のワークステーションでの位置決め工程中で必要な精度という結果により、考慮すべき課題が挙げられる。
【０００４】
従って、本発明の目的は、設置空間および高精度な位置決めという点において、公知のコンベヤ装置を改良することである。
よって、本発明は、自動化生産ラインのためのコンベヤ装置に関するものであり、該コンベヤ装置は、
− 生産ラインの進行方向に沿った少なくとも１つのコンベヤ軌道と、
− 生産ライン上で、部品または部品アセンブリ、具体的には車両ボディを移送するための少なくとも１つの部品搬送台車と、を備え、
− 生産ラインは、移動部およびワークステーションを含み、移動部は生産ラインの進行方向に沿って、コンベヤ軌道により通過する。
【０００５】
本発明は、
− コンベヤ軌道は、モノレールとして、好ましくは、部品搬送台車の中心長手軸に沿って延びるモノレールとして構成され、
− コンベヤ軌道は、少なくとも一部において、駆動部を用いて駆動される複数のローラを備え、
− 部品搬送台車は、少なくとも１つの摩擦面を備え、該摩擦面を用いて部品搬送台車がコンベヤ軌道の複数のローラによって駆動可能である、具体的には、コンベヤ軌道に沿って動的に移動可能であることを特徴とする。
【０００６】
モノレールとしての設計したことにより、該モノレールは、好ましくは部品搬送台車の長手軸に沿って進み、その軌道方向で生産ラインの方向を規定し、軌道の設計に必要な空間がかなり小さくなるので、ワークステーション、具体的にはロボットの設置スペースがより広くなる。また、コンベヤ軌道から複数のローラによる摩擦面を用いた部品搬送台車の駆動は、コンベヤ軌道における駆動技術を高め、部品搬送台車をコンパクト化する可能性を提供すると共に、ロボットが加工する部品又は部品アセンブリ、具体的には車体、へのアクセス性を向上する。
【０００７】
本発明にかかるコンベヤ装置の有利な更なる発展は、
− 位置決め手段は、部品搬送台車に設けられ、
− 基準手段は、少なくともワークステーションの領域のコンベヤ軌道に設けられ、
− 部品搬送台車の位置決め手段と、コンベヤ軌道の基準手段とは、部品搬送台車が作業位置に明瞭に配置されるように相互作用し、部品または部品アセンブリの加工は、該作業位置にて、１つの、好ましくは２つの、具体的には３つの空間方向におけるワークステーションに関連した少なくとも１つの操作装置により行われることを特徴とする。
【０００８】
ワークステーションでの部品搬送台車の高精度な位置決めにより、操作装置、具体的には産業用ロボットが、加工タスクを果たすために、高精度に規定された座標に向かうことが可能となる。少なくとも１つの、好ましくは３つの全ての空間方向における位置決めは、位置決めおよび基準手段との間の相互作用により行われ、該位置決めおよび基準手段は、具体的には、一旦コンベヤ装置が組み立てられると、各ワークステーションにおける要求される許容範囲に作業場で変更且つ調整可能である。これに関して、１つまたは２つの接面の複数の基準ローラに対して移動し、正確な位置に到達した際にそれらと当接する位置決め面又は位置決めブロックは、特に好ましくは、設けられる。ここでは、他の種類の機械的停止部も想到可能である。
【０００９】
また、コンベヤ装置の更なる発展では、ガイドユニットを備え、コンベヤ装置のローラは、少なくとも一部では個々のガイドユニットの部品パーツであり、ガイドユニットのローラが、ばね式、又は非ばね式、又はリジッドサスペンションを含み、ガイドユニットは、好ましくはワークステーションの領域に配置される。
【００１０】
摩擦面によって駆動される部品搬送台車は、ワークステーションを通過、およびワークステーション間をコンベヤ経路に沿って移動するために、駆動ローラと相互作用する。この場合、駆動ローラは、ガイドユニットで一部受取られ、該ガイドユニットは、部品搬送台車をコンベヤ軌道に沿って移動させ、少なくともコンベヤ軌道（Ｘ軸）に沿って部品搬送台車がガイドユニット上を進む。前記ガイドユニットには、少なくとも部分的にローラのサスペンション用のばねシステムが設けられていて、これにより一方で、移動方向（Ｘ軸）からと、それに対して直角および水平方向の横断軸（Ｙ軸）とから形成される移送面における変更が可能となり、他方では、摩擦面での駆動ローラの予圧および接触圧が調整可能であり、その動作力は、そこに配置された部品または部品アセンブリを備えた部品搬送台車の重量を超える。
【００１１】
加えて、コンベヤ装置の有利な実施形態では、コンベヤ軌道の進行方向（Ｘ方向）に沿った位置決めが、少なくとも１つのロックピンにより行われ、該ロックピンは、好ましくはコンベヤ軌道の外へ突出し、部品搬送台車の受取手段にポジティブロック方式にて係止する。
【００１２】
そのようなロックピンは、部品搬送台車を捕らえ、その先端を対応する円錐形にて実現したことにより、所望の位置に移動する。ロックピンは素早く作動し、該当箇所にて、挿入状態で大きな力を吸収可能である。
【００１３】
さらに、好ましい態様では、コンベヤ軌道の進行方向の垂直方向（Ｚ方向）の位置決めが、少なくとも２つの位置決め手段により行われることが提供される。少なくとも２つの位置決め手段は、特に、少なくとも２つの基準手段と相互作用する部品搬送台車のＺパックであり、少なくとも２つの基準手段は、特に、２つのＺ停止部又はＺローラである。
【００１４】
Ｚ方向位置決め、つまり、垂直方向（Ｚ軸）における位置決めは、部品搬送台車の位置決め面／位置決めパックを用いて、又は、機械的当接の結果として、それぞれに他の部品の基準手段と相互作用するワークステーションにて行われる。
【００１５】
この場合、好ましい態様では、位置決め手段が上向き面を用いて、下向き面又は基準手段のローラと相互作用する。下方にずれて対向して配置された面の対又は位置決め面と、下方にずれたローラとの間の相互作用の結果としての端部における沈み込みにより、具体的には、ばね装着駆動ローラの動作に対して、垂直軸（Ｚ方向）に対する高精度な位置決めが可能になる。前記位置決めは、特に、有利には、持ち上げる際の取り付け面位置決め、例えば、操作装置により作られるものと比べて、精密な位置が危険にさらされることなく補償可能である。部品搬送台車は、Ｚ方向にクランプする方法で保持される。
【００１６】
さらには、好ましくは、位置決めは、コンベヤ軌道の進行方向に対して横断方向（Ｙ方向）に、少なくとも２つのロックピンによって行われ、ロックピンは、互いに離れて配置され、好ましくは、コンベヤ軌道から突出し、部品搬送台車の受取手段にポジティブロック方式で係止することが提供される。
【００１７】
ロックピンの利点は上述した。部品搬送台車は、ロックピンの２つの点により、Ｘ方向およびＹ方向に明瞭に配向可能である。これらは、部品搬送台車に同時又は連続して作用する。
【００１８】
さらには、好ましくは、位置決めは、コンベヤ軌道の横断方向（Ｙ方向）に、少なくとも２つの位置決め手段により行われる。少なくとも２つの位置決め手段は、特に、少なくとも２つの基準手段と相互作用する部品搬送台車のＹパックであり、少なくとも２つの基準手段は、特に、２つのＹ停止部又はＹローラである。
【００１９】
Ｚ位置決めに対応して、Ｙ軸位置決めも、複数のローラ面に対して又はローラ対に対して移動する対応する位置決めパックにより行うことが可能であり、その結果、Ｙ軸に沿った空間の高精度な位置とすることが可能となる。
【００２０】
本発明にかかるコンベヤ装置の別の実施形態では、ワークステーションに関連する部品搬送台車の位置決めは、１つの、好ましくは２つの、具体的には３つの空間方向に沿ってポジティブロック方式で構成され、具体的には部品搬送台車がコンベヤ軌道から浮き上がることが防止されることが提供される。
【００２１】
ポジティブロック全封止を実現する位置決め手段の達成は、部品搬送台車が、ワークステーションで移動不能に保持されること、具体的には、操作装置、例えば産業用ロボット、により部品搬送台車に力がかかる。結果として、加工時の精度がさらに向上され、故障又は欠陥率の低減が達成される。
【００２２】
具体的には、少なくとも３つの、および好ましくは４つの位置決めおよび基準手段は、Ｚ方向にワークステーションの部品搬送台車を固定するために相互作用することが提供される。
【００２３】
具体的には、少なくとも３つの、および好ましくは４つの位置決めおよび基準手段は、Ｙ方向にワークステーションの部品搬送台車を固定するために相互作用することも提供される。
【００２４】
また、本発明において、コンベヤ装置は、少なくとも１つのプロファイル、好ましくは２つ以上のプロファイルは、長手方向に延びるコンベヤ軌道上で実現され、少なくとも１つのローラは、好ましくは部品搬送台車のローラ配置方法にて、プロファイルのポジティブロック方式で係止して、コンベヤ軌道からの部品搬送台車の浮き上がり、および／または、コンベヤ軌道に対して部品搬送台車が横方向にずれることが防止されることが提供される。
【００２５】
プロファイル、例えば、押し出しプロファイル、又は複数のローラによって包含される、若しくはローラが係止するＣレールが、部品搬送台車の搬送のためにポジティブロック封止し、それにより部品搬送台車の傾斜又は解放を防ぐ。
【００２６】
具体的には、摩擦面上の部品搬送台車に押し付けるばね荷重ローラの場合、特に、浮き上がりや傾斜から守るしっかりとした案内がＣレールの少なくとも１つのローラのポジティブロック受取によって行われ、移動の際にローラがＣレールの上部斜面と当接して転動する。
【００２７】
好ましい実施形態では、モノレールは部品搬送台車の下、具体的には部品搬送台車の中央下で延びている。しかしながら、横方向ずれが得策である実施形態も想到できる。具体的には、操作装置にアクセスし続けられる場所により、コンベヤ装置の部品の配置が決定される。
【００２８】
また、コンベヤ軌道の移動部および／またはワークステーションは、複数の押さえ装置を備え、各押さえ装置は押さえローラおよびローラキャリアを備え、押さえローラは、ローラキャリアを用いてコンベヤ軌道のプロファイルに対して配置され、押さえローラは、コンベヤ軌道に沿って移動する部品搬送台車が複数押さえローラおよび複数ローラの間で常に案内可能であるように、コンベヤ軌道のローラに整列されることが提供される。具体的には、各々の場合において、２つの押さえ装置がコンベヤ軌道のプロファイル上で互いに対向して配置されることが提供される。結果として、ほとんど費用をかけずに、部品搬送台車の駆動が非ばね式又は固定して取り付けられたローラを備える場合であっても、部品搬送台車およびローラ間において充分な摩擦係止させることが可能であり、部品搬送台車が、駆動ローラにより確実に加速および制動可能であり、加えて横方向への傾斜を防ぐことができる。
【００２９】
また、押さえ装置にはバネが取り付けられ、押さえローラは、バネを用いて、コンベヤ軌道に沿って移動する部品搬送台車の面を押圧可能であり、部品搬送台車は、部品搬送台車が載るローラに押し付けられることが提供される。具体的には、押さえ装置がレバーと、押さえローラとを備え、押さえ装置は、コンベヤ軌道のプロファイル上のレバーにより旋回可能に取り付けられ、Ｙ方向（Ｙ）に水平方向に延びる旋回軸回りに旋回可能であることが提供されることが提供される。バネは、レバーをプロファイルに旋回軸回りにトルクを発生するように接合し、具体的には、互いに対向して配置される２つの押さえ装置が接合手段によって旋回軸の領域で接合され、具体的には、２つのレバーが、旋回軸回りに互いに独立して旋回するように接合手段に接合されることが提供される。
【００３０】
各押さえ装置のバネを用いることにより、ずれが補正されて振動が減衰され、部品搬送台車は静かに移動可能である。ローラキャリアとしてレバーを用いることにより、たとえ弱いバネであっても充分な力が生じさせることが可能となり、費用効果のあるバネを使用可能であり、バネの取替えも簡便に行える。具体的には、ねじり力がロバストな設計は、対向する位置にある押さえ装置と接合したことにより、最小の材料使用で達成される。
【００３１】
加えて、コンベヤ装置は、ロックピン装置を備え、ロックピン装置は、具体的にはソードとして実現されるロックピンと、ロックピンを受取るためのシースとを含み、シースが、係止方向（Ｘ方向）の横断方向、具体的にはＺ方向（Ｚ）に、解放位置からロックピンがシースによって受取られる係止位置へ移動可能であることが提供される。具体的には、シースが２つの対向して配置された回転体を含むことが提供され、具体的には、回転体の回転軸が移動方向（Ｘ）に横断するように配置されて、係止位置に移動する場合、ロックピンがシースにより低摩擦で受取られることが提供され、具体的には、ロックピンがコンベヤ軌道（２０）に沿って移動可能である部品搬送台車に取り付けられることが提供される。そのようなロックピン装置が、コンベヤ軌道のプロファイルに容易に一体化可能である。加えて、摩擦力が回転体により減少するので、そのようなロックピン装置は、より小さい駆動力で操作可能であることが提供される。
【００３２】
最後に、先述のコンベヤ装置に少なくとも１つの連結装置を取り付けたコンベヤ装置の場合では、連結装置は、コンベヤ装置のワークステーションの１つに配置される少なくとも１つの連結片と、部品搬送台車に取り付け可能な１つの反対の連結片とを備え、連結片は、具体的には、ロックピン装置のシースと共に移動可能であり、ワークステーションの作業位置にある部品搬送台車の反対の連結片と連結片が連結可能であり、連結装置は、具体的には、部品搬送台車に圧縮空気および／または電気を好ましく供給可能である中間連結装置を備えることが提供される。これにより、最低限の費用にて、部品搬送台車が必要な作動部品のための追加的機能が、具体的には各ワークステーションにて、部品搬送台車で実現可能である。
【００３３】
本発明によれば、部品搬送台車も上述したコンベヤ装置のために設けられる。該部品搬送台車は、
− 部品または部品アセンブリのための搬送構造および受取手段を備え、
− 搬送構造が少なくとも１つの長手方向搬送部と、長手方向搬送部よりも横方向に突出する、好ましくはロレーヌ十字の形状で対称である少なくとも２つの横材とを含み、
− 受取手段は、部品または部品アセンブリ、具体的には、搬送構造に対して明瞭に位置する車ボディを受取る。
【００３４】
本発明にかかる部品搬送台車は、
− 搬送構造は、横材が、選択位置に（好ましくはＸ方向）配置されて締結された固定格子を含む、
および／または
− 横材は、受取手段が少なくとも１つの空間方向（好ましくはＹ方向）、具体的には、２つの空間方向（ＹおよびＺ方向）の選択位置に配置および締結する固定格子を含むことを特徴とする。
【００３５】
構成される部品または部品アセンブリは変更可能であるので、具体的には、車両車体形状は、モデル範囲又はモデル維持の結果として、受取る予定の部品または部品アセンブリへの部品搬送台車の柔軟性のある適用が費用節約となる。この場合、特に有利には、Ｘ方向および他の空間方向の両方により、部品搬送台車の部品を柔軟に配置できる。締結可能な格子は、部品搬送台車のシステムの柔軟性を高め、使用者に高い技術利点を与え、変更費用を低下させた結果、適用可能であれば、若しくは、全く新しく設計された部品搬送台車によって実現されるものである。
【００３６】
好ましい実施形態では、固定格子は、搬送構造で、少なくとも６０％を超えて、好ましくは、搬送構造の長さの８０％を超える搬送構造で実現される。
受取る予定の部品または部品アセンブリのために必要な配置のほぼすべて、具体的には車両ボディ、を前記長さで覆うことが可能である。
【００３７】
部品搬送台車の具体的な実施形態では、部品または部品アセンブリのための少なくとも１つの受取手段と、ワークステーションに対して部品搬送台車を整列するための少なくとも１つの位置決め手段との両方が、少なくとも１つの横材に配置される。
【００３８】
部品搬送台車のための位置決め手段と、受取り予定の部品または部品アセンブリの受取手段との組み合わせ配置により横材の数が減り、その結果、操作装置、具体的には、産業用ロボットの適用のためにより広い空間を開放する。具体的に、さらに、より正確に、部品または部品アセンブリのより空間的に固定された配置は、上述のクランプ、ポジティブロック位置決めの結果として達成される。
【００３９】
さらに好ましい実施形態では、
− 長手方向搬送部は、具体的には、中空プロファイルと、好ましくは、その下に配置される平坦プロファイルとから形成される上下逆さまＴのような断面で実現され、
− 平坦プロファイルは、中空プロファイルよりも、好ましくは、両側に突出し、具体的には、対称に突出し、
− 中空プロファイルに対向して位置する平坦プロファイルの側面は、摩擦面、またはコンベヤ装置の複数のローラによって駆動される駆動面を形成することが提供される。
【００４０】
摩擦面を用いた駆動では、部品搬送台車の加速および制動時により強力な動力を利用する方法を提供する。また、ほぼ全ての駆動手段が、摩擦面を用いて、コンベヤ軌道に沿って再配置可能である。例えば、走行ローラの設置スペースが部品搬送台車の支持部の領域では必要なく、横材又はそのようなものの装着が可能になる。結果として、部品搬送台車がよりコンパクトになり、操作装置、具体的には産業用ロボットの操作のための空間が広くなる。
【００４１】
加えて、本発明は、上述のコンベヤ装置を操作する方法を提案しており、該方法では、
− コンベヤ軌道上の部品搬送台車は、この場合、到達すべき作業位置までワークステーションに移動し、
− 少なくとも２つのワークステーション間の移動が行われる水平移送面から、部品または部品アセンブリ、具体的には車ボディの加工が、部品搬送台車で行われる移送面より下の位置決め面に、押し込みが行われる。
【００４２】
本発明にかかる、移送面から、その下に位置する位置決め面への変更によるＺ位置決めへの押し込みにより、ガイドユニットのばね荷重駆動ローラに対する位置決め手段のポジティブロック保持が可能となり、その結果、浮き上がりが避けられ、具体的には、正確なＺ位置決めが可能になる。
【００４３】
前記方法の好ましい実施形態では、動的移動が、１２秒未満、好ましくは５秒から１０秒の間、具体的には６秒以内にてワークステーションで２つの位置決めされた状態間での変更を行うことを特徴とする。
【００４４】
Ｙ位置決めと同じように、位置決め面への進入は移動時に行われ、余計な時間を取らない。Ｘ位置決めに対するロックピンの導入により、およそ０．５秒から１秒が必要であり、停止時の部品搬送台車で行わなければならない。移動の起動力（制動）の間に１つの、好ましくは２つの軸空間での位置決めにより、位置決めに関して時間的利点が得られる、つまりこれは、進入成功後のワークステーション内部で一度行われるだけである。時間の短縮により、操作装置、具体的には産業用ロボットにより加工するための時間ができる。
【００４５】
本発明の用語において、モノレールはコンベヤ軌道として理解され、該モノレールは、長手方向の範囲において、数珠状につながった複数のプロファイル部から形成される１つのプロファイルのみを備える。モノレールは、少なくとも１つの部品搬送台車が転がるプロファイルに取り付けた複数のローラを含む。これに関連して、２つ以上のローラを横並びに配置することが提供されることも可能である。ローラを平行して配置することにより、部品搬送台車への接触面を容易な方法で広げることが可能となる。
【００４６】
本発明を、以下の例示的な実施形態を用いてより詳細に説明する。しかしながら、本発明は、図示した実施形態に限るものではない。
【図面の簡単な説明】
【００４７】
図面は、以下のとおりである：
【図１】本発明にかかるコンベヤ装置の第１実施形態の図を示す。
【図２】Ｙ−Ｚ面に沿う、図１にて示す本発明にかかるコンベヤ装置の概略的な部分的断面図を示す。
【図３】図３ａ及び図３ｂは、ａ）位置決め面、およびｂ）移送面の概略的な断面図を示す。
【図４】図１に示す部品搬送台車の斜視図を示す。
【図５】本発明にかかるコンベヤ装置の第２実施形態のコンベヤ軌道の詳細な斜視図を示す。
【図６】本発明にかかるコンベヤ装置の第３実施形態のコンベヤ軌道の詳細な斜視図を示す。
【発明を実施するための形態】
【００４８】
詳細には、図１は、コンベヤ軌道２と、中心長手軸Ｌ３に部品搬送台車３とを備える、本発明にかかるコンベヤ装置１の第１実施形態を示す。この場合、例として示すコンベヤ装置１では、生産ラインの進路にワークステーション４の領域を示す。部品搬送台車３は、走行方向５からワークステーション４の領域に進入し、次に、生産ラインの連続進行方向６において、該ワークステーションを離れる。
【００４９】
この場合、コンベヤ軌道２は、モノレール７として実現され、支持部８、９に配置されるプロファイル１０を備え、そこで、複数のローラ又はローラ対１１が互いに離れて配置され、ローラ対１１は、ばね荷重サスペンション付きのガイドユニット１２の少なくとも一部で受取られる。ローラ又はローラ対１１は、部品搬送台車３をコンベヤ軌道２に沿って動的に移動するために、駆動部１３により駆動回転される。プロファイル１０は、コンベヤ軌道２の長さおよび進路に応じて、数珠状につながった複数のプロファイル部を備える。
【００５０】
次に、部品搬送台車３は、その下面に平坦プロファイル２１を取り付けた中央に配置される中空プロファイル２０を備える。平坦プロファイル２１は、下面に、部品搬送台車３がローラ又はローラ対１１および駆動部１３との相互作用で動的に移動を可能にする摩擦面２２を実現する。ばね搭載駆動ローラ又はローラ対１１を備えた対応するガイドユニット１２（図３ａ参照）は、部品搬送台車３の駆動性を常に確実とするため、コンベヤ軌道２に沿って一定間隔に配置される。
【００５１】
加えて、部品搬送台車３は、部品または部品アセンブリ、具体的には図示しない車両のボディのための受取手段２４を順に有する横材２３、２５を追加的に備える。この場合、横材の一部、即ち、横材２５も、受取手段２４と共に、Ｙ軸に沿った位置決め移動方向において、部品搬送台車３の左手側の前部に設けられた位置決め手段３０を備える。
【００５２】
横材２３の締結のための通常のねじ孔２７から形成される場合の固定格子２６は、平坦プロファイル２１に沿って設けられる。別の固定格子２８は、平坦プロファイル２１に設けられ、また、平坦プロファイル２１に直接、若しくは、例えば傾斜構成要素のような対応する追加的部材を用いてのいずれかにより、ねじ孔を設けることが可能である。この態様により、横材２３は、自在に位置決めを変更可能とし、受取り予定の部材又は部材アセンブリに適応させることが可能となる。また、横材２３は、受取手段２４を自在に位置決めおよび固定に対応する受取手段２９、例えば、プロファイルをクランプする形状のものを備える。
【００５３】
部品搬送台車３が、生産ラインの走行方向５からワークステーション４の領域に入ると、図１に示す作業位置に到達する。この場合、位置決め手段を、以下にてより詳細に説明する対応の基準手段に係止する。
【００５４】
位置決め手段３０は、生産ラインの走行方向５、６に対して水平方向に横断する位置決めのための移動方向において左手側の前側横材２５に設けられ、結果として、Ｙ軸に沿って位置決めされる。この場合、図面では隠れている対応のＹ軸位置決め手段は、移動方向における右手側に後側横材３１に設けられる。Ｙ軸位置決め手段は、縦型自立式回転軸を備えるＹ基準ローラ４２、４３に移動し、そこで、Ｙ方向のポジティブロック方式にて正確に受取られる、いわゆるＹパック４０、４１（具体的には図２および４参照）により形成される。部品搬送台車３のＹ位置は、２つの基準ローラ対、即ち、複数のＹ基準ローラ４２（前側左）および複数のＹ基準ローラ４３（後側右）により決定される。Ｙ基準ローラ４２およびＹ基準ローラ４３のそれぞれは、Ｙ基準手段４４を形成する。
【００５５】
実施形態の変更例によれば、記載した基準ローラ対の対角配置の代替として、プロファイル１０の左側又は右側で連なってずれた配置でも設けられる。
対応態様では、垂直軸の位置を決定するＺ位置決め手段も、対応する基準手段に移動する。Ｚパック５１〜５４（具体的には図４参照）の形をしたＺ位置決め手段５０は、部品搬送台車３の４つの角の領域にて横材２５の位置決め手段で配置される。Ｚ軸パック５１〜５４は、対応するＺローラ５５〜５８（具体的には図１参照）に移動し、夫々のＺローラにより形成されたＺ基準手段６０（具体的には図２参照）によって、ポジティブロック方式にてＺ方向にも保持される。
【００５６】
位置決め手段と基準手段との相互作用は、図２にて詳細に記載されている。この場合、Ｚ位置決めパック５１〜５４は、一方側で互いに各々がＹ方向にずれているので、それぞれのＺ基準手段は、部品搬送台車３がワークステーション４の領域を通って移動する場合、通過可能であることが分かる。
【００５７】
ローラ又はローラ対１１は、駆動部１３により駆動され、ばねシステム７０（例として示される）によるばねの負荷を受けている。部品搬送台車３は、ローラ又はローラ対１１の走行面上の平坦プロファイル２１に置かれ、それにより動的に移動される。コンベヤ軌道２の側面でＣプロファイルレール７３と係止するローラ７２は、角付プロファイル７１を用いて部品搬送台車３に配置される。両側での係止の結果、ＹおよびＺ方向においてポジティブロック封止され、具体的には、部品搬送台車３が傾いてコンベヤ軌道２より浮き上がることを防止する。
【００５８】
Ｘ方向の位置決めは、コンベヤ軌道２の外に移動可能であり、部品搬送台車３の下面で対応する孔に係止するロックピン８０により行われる。これに関して、ロックピン８０の円錐形に形成された先端部により、Ｘ方向における位置決めにおいて確実なセルフセンタリングが可能になる。
【００５９】
Ｃプロファイル７３に係止しているローラ７２により、浮き上がりおよび傾斜の予防をする代わりに、Ｘ方向の移動のみが可能な方法により、複数ローラ（この場合では示していない）に、小片又は別に形成されたプロファイルを含めることも可能である。これは、２つの対向する位置にあるＺ係止ローラ３９６ａ、３９６ｂと、２つの対向する位置にあるＹ係止ローラ３９７ａ、３９７ｂとにより、図６に示されるコンベヤ軌道３０２に例として示される。
【００６０】
前記係止ローラそれぞれが１つのローラ対３９６、３９７を形成する結果、概略的に図示するだけの部品搬送台車３０３が、停止時や、コンベヤ軌道３０２からの浮き上がり、およびコンベヤ軌道３０２に対する横方向の傾きによる移動にから守られる。さらに、そのようなローラ対が、コンベヤ軌道３０２の長手方向範囲（Ｘ方向）に明瞭に配置されるので、部品搬送台車３０３は、全体経路に沿って固定される。
【００６１】
浮き上がりおよび傾きに対する保護とは別に、部品搬送台車３０３の位置決めは、各ワークステーション３０４にて部品搬送台車３０３のＺ位置決め手段およびＹ位置決め手段と相互作用する図６では見えないＺ基準手段およびＹ基準手段により行われる。これは、図１から４と類似の方法にて行われる。
【００６２】
部品搬送台車３０３は、Ｚ係止ローラ３９６ａ、３９６ｂと、Ｙ係止ローラ３９７ａ、３９７ｂとから離れるように、ワークステーション３０４に配置される。Ｚ係止ローラ３９６ａ、３９６ｂと、Ｙ係止ローラ３９７ａ、３９７ｂとの当接は、部品搬送台車３０３が移送面であって、位置決め面にない場合のみ可能となる。
【００６３】
図３ａおよび３ｂは、本発明にかかるコンベヤ装置１の位置決めされた状態を移送状態に変更する概略的な図である。これに関して、符号は、図１、２および４にて用いた符号と類似のものを用いるが、各場合において１００ずつ番号が上がる。
【００６４】
部品搬送台車１０３は、ワークステーションの領域では、図３ａの位置にある。コンベヤ軌道１０２のプロファイル１１０における駆動ローラ１１１は、部品搬送台車１０３、具体的には平坦プロファイル１２１によって、ばねシステム１７０に押し付けられ、摩擦面１２２を位置決め面１９０に配置する。この押し付けは、Ｚ基準ローラ１５５、１５６に移動する横材１２５に配置されたＺ位置決めパック１５１、１５２により成され、該Ｚ基準ローラ１５５、１５６は、この場合、底部のローラおよび最上部のローラによって形成されている。この態様では、Ｚ位置が明瞭に規定されるので、部品アセンブリ１９１、具体的には、車体（概略的に示す）の加工が、産業ロボットにより行われることが可能である。
【００６５】
図３ｂは、Ｚ位置決めパック１５１、１５２が、Ｚ基準ローラ１５５、１５６にまだ移動していない移送状態を対応する態様で図示している。駆動ローラ対１１１は、ばねシステム１７０により、より高く突出する位置に配置されるので、摩擦面１２２の下面を位置決め面１９０より上の移送面１９２に案内する。
【００６６】
Ｚ方向におけるワークステーションの領域の部品搬送台車を位置決めするため、ワークステーションは、より高い移送面１９２から、その下に位置する位置決め面１９０に結果として下がる。
【００６７】
図４は、図１に示す本発明にかかる部品搬送台車３を再度図示する。符号は図１に記載されたものであり、対応する部材は同一符号である。
図５は、モノレール２０７として実現されるコンベヤ装置２０１の第２実施形態のコンベヤ軌道２０２の詳細な斜視図を示す。コンベヤ軌道２０２は、移動部２１５の領域にて図示され、複数の押さえ装置２９０、２９１を含み、そのうちの２つのみをここでは例として表して記載する。移動部２１５は、ワークステーション間に実現され、具体的には、移送ステーション、又はブランク・ステーション、又はブリッジ・ステーションでも、類似の設計にて用いられる。各押さえ装置２９０、２９１は、押さえローラ２９０ａ、２９１ａおよびローラキャリア２９０ｂ、２９１ｂを備える。押さえローラ２９０ａ、２９１ａは、コンベヤ軌道２０２の進路に沿って延びるプロファイル２１０上のローラキャリア２９０ｂ、２９１ｂを用いて配置され、押さえローラ２９０ａ、２９１ａは、コンベヤ軌道２０２の複数のローラ２１１上で、コンベヤ軌道２０２に沿って移動する概略的に示された部品搬送台車２０１が、複数の押さえローラ２９０ａ、２９１ａおよび複数のローラ２１１間で、常に案内可能であるように整列される。これに関して、２つの押さえ装置２９０、２９１は、コンベヤ軌道２０１のプロファイル２１０上で、各場合において、互いに対向する位置に配置される。移動部のローラ２１１は、先述の図にて示したワークステーションの複数のローラ２１１に対し、固定および非ばね式にて、ガイドユニット２１２で受取る。ローラ２１１は駆動部２１３により駆動され、図示しない推進手段は、具体的には、歯付きベルト又はチェーンを備え、駆動部２１３およびプロファイル２１０の複数のローラ２１１と連結している。
【００６８】
押さえ装置２９０、２９１は、バネ２９０ｃ、２９１ｃも備え、押さえローラ２９０ａ、２９１ａは、バネ２９０ｃ、２９１ｃを用いて、コンベヤ軌道（概略的に示す）に沿って移動する部品搬送台車２０３の面２０３ａに押し付けられ、部品搬送台車２０３が、それが置かれる複数のローラ２１１に押し付けられるので、十分な摩擦係止接続が確実となる。
加えて、押さえ装置２９０、２９１は、レバー２９０ｄ、２９１ｄを備え、押さえローラ２９０ａ、２９１ａは、レバー２９０ｄ、２９１ｄにより、コンベヤ軌道２０１のプロファイル２１０に旋回可能に取り付けられてＹ方向に水平方向に延びる旋回軸２９０ｅ、２９１ｅ回りに旋回可能であり、バネ２９０ｃ、２９１ｃは、それらが旋回軸２９０ｅ、２９１ｅ回りにトルクを発生するように、レバー２９０ｄ、２９１ｄをプロファイル２１０に接続し、これにより押さえローラ２９０ａ、２９１ａは部品搬送台車２０３に押し付けられる。これに関連して、レバー２９０ｄ、２９１ｄは、トグルレバーとして実現される。
【００６９】
例として記載した押さえ装置２９０、２９１は、記載しない別の押さえ装置と同様に、互いに対向する対でも配置され、旋回軸２９０ｅ、２９１ｅの領域において、プロファイル２１１を通って延びる接合手段２９３により接合される。２つのレバー２９０ｄ、２９１ｄは、具体的には、互いに独立して旋回軸２９０ｅ、２９１ｅ回りに旋回可能なように接合手段２９３に接合される。
【００７０】
プロファイル２１０に横方向で、互いに対向して配置したＹ係止ローラ２９７ａ、２９７ｂにより、部品搬送台車２０３も横方向に案内されるので、移動部２１５のプロファイル２１１の前進に追従することが確実になる。これに関連して、対向して配置された複数のＹ係止ローラは、プロファイル２１１の進行方向上に配置されるので、部品搬送台車２０３が全体経路に沿って確保される。
【００７１】
図６は、第３実施形態のコンベヤ装置３０１のモノレール３０７として実現される既に記載したコンベヤ軌道３０２の詳細な斜視図を示し、以下で説明するロックピン装置４０１も、図１から４又は５に図示したコンベヤ装置のうちの１つのワークステーション又は移動部に設置可能である。この場合、コンベヤ装置３０１は、生産ラインの進路におけるワークステーション３０４の領域を示し、ばね荷重又は圧力荷重ローラ３１１をそこに設ける。コンベヤ装置３０１のコンベヤ軌道３０２は、前述のロックピン装置４０１を有し、ロックピン装置４０１は、ソード４０２として実現されるロックピン４０３と、ロックピン４０３を受取るシース４０４とを有する。これに関して、ロックピン４０３は、コンベヤ装置３０１の部品搬送台車３０３に締結されるが、概略的にコンベヤ軌道３０２から離れた位置にあることのみを図示する。シース４０４は、図示しない開放位置からＺ方向のブロック方向（Ｘ方向）を横断する方向に移動可能であり、そこではソード４０２、結果として部品搬送台車３０３が、ブロック方向（Ｘ方向）に自在に移動可能であり、図示するブロック位置Ｓ４０４に上方移動する。そして、ブロック位置Ｓ４０４において、ソード４０２は、−矢印によって表すように−シース４０４により受取られる。シース４０４は、２つの対向して配置される回転体４０５、４０６を備え、回転体４０５、４０６の回転軸Ｄ４０５、Ｄ４０６を、ブロック方向（Ｘ方向）に横断する又は移動方向（Ｘ方向）を横断するように配置して、部品搬送台車３０３をＸ方向に位置決めするため、部品搬送台車３０３がプロファイル３１０外のブロック位置Ｓ４０４に上方移動する場合、ソード４０２がシース４０４上で低摩擦で裏面４０２ａ、４０２ｂにより中心に位置する。
【００７２】
選択肢として、コンベヤ装置３０１も、少なくとも１つの連結装置４５１を備え、該連結装置４５１は、コンベヤ装置３０１のワークステーションのうちの１つに配置される少なくとも１つの連結片４５２と、部品搬送台車３０３に取り付け可能であるもう片方の連結片（図示せず）とを含み、連結片４５２は、ワークステーションの作業位置にある連結片４５２が部品搬送台車３０３の片方の連結片と連結可能なようにロックピン装置４０１のシース４０４と共に移動可能であり、連結装置４５１は、中間連結装置４５４を備え、これにより、部品搬送台車３０３が、好ましくは、圧縮空気および／または電気を供給可能である。
［符号の説明］
符号一覧：
１…コンベヤ装置、２…コンベヤ軌道、３…部品搬送台車、Ｌ３…３の長手軸、４…ワークステーション、５…走行方向、６…走行方向、７…モノレール７、８，９…７〜１０の支持部、１０…７のプロファイル、１１…７のばね式ローラ又はローラ対、１２…ガイドユニット、１３…駆動部、２０…中央に配置された３の中空プロファイル、２１…３の平坦プロファイル、２２…２１の摩擦面、２３…３の横材、２４…２３上の３の受取手段、２５…横材、２６…２１上の３の固定格子、２７…２６のねじ孔、２８…別の固定格子、２９…２３上の受取手段、３０…２５上の３の位置決め手段、３１…後右手側横材、４０、４１…位置決め手段３０としてのＹパック、４２…４の基準ローラ対（前左）、４３…４の基準ローラ対（後右）、４４…４２又は４３によって形成されるＹ基準手段、５０…２５上の３のＺ位置決め手段、５１〜５４…位置決め手段５０としてのＺパック、５５〜５８…４のＺローラ、６０…Ｚローラ５５〜５８としてのＺ基準手段、７０…１１のばねシステム、７１…角付プロファイル、７２…３のローラ、７３…２のＣプロファイルレール、８０…ロックピン、１０２…コンベヤ軌道、１０３…部品搬送台車、１１０…プロファイル、１１１…ばね式駆動ローラ／ローラ、１２１…平坦プロファイル、１２２…摩擦面、１２５…横材、１７０…ばねシステム、１５１，１５２…１０３のＺ位置決めパック、１５５，１５６…Ｚ基準ローラ、１９０…平面／位置決め面、１９１…部品アセンブリ、１９２…移送面、２０１…コンベヤ装置、２０２…コンベヤ軌道、２０３…部品搬送台車、２０３ａ…２０３の面、２０７…モノレール、２１０…プロファイル、２１１…リジッドローラ、２１２…ガイドユニット、２１３…駆動部、２１５…移動部、２９０，２９１…押さえ装置、２９０ａ，２９１ａ…押さえローラ、２９０ｂ，２９１ｂ…ローラキャリア、２９０ｃ，２９１ｃ…バネ、２９０ｄ，２９１ｄ…レバー、２９０ｅ、２９１ｅ…２９０ｄ，２９１ｄの旋回軸、２９３…２９０および２９１の接合手段、２９７ａ，２９７ｂ…Ｙ係止ローラ、３０１…コンベヤ装置、３０２…コンベヤ軌道、３０３…部品搬送台車、３０４…ワークステーション、３０７…モノレール、３１０…プロファイル、３１１…ばね式ローラ、３９６…ローラ対、３９６ａ，３９６ｂ…Ｚ係止ローラ、３９７…ローラ対、３９７ａ，３９７ｂ…Ｙ係止ローラ、４０１…ロックピン装置、４０２…ソード、４０２ａ，４０２ｂ…裏面、４０３…ロックピン、４０４…シース、４０５，４０６…回転体、Ｄ４０５，Ｄ４０６…回転体の回転軸、Ｓ４０４…係止位置、４５１…連結装置、４５２…連結片、４５４…中間連結装置
【図１】
2020516478.tif 000003
【図２】
2020516478.tif 000004
【図３】
2020516478.tif 000005
【図４】
2020516478.tif 000006
【図５】
2020516478.tif 000007
【図６】
2020516478.tif 000008
【国際調査報告】
2020516478.tif 000009
2020516478.tif 000010
2020516478.tif 000011
2020516478.tif 000012
2020516478.tif 000013